(57)【要約】【課題】幼稚園や保育園で、園児をテーブルの所定の位置に誘導するために、テーブルの所定部に着席指示、誘導用の写真やキャラクターなどの目印を、テープなどの貼り付けを必要とすることなく、テーブルなどに表示することを可能とする。【解決手段】家具の一部に家具の表面に開口する貫通孔又は凹部を設け、貫通孔又は凹部に、家具の表面から視認し得るように、写真やキャラクターなどからなる園児の着席の目印を内装した目印内装キャップ２０を嵌め込んで設置するようにした幼稚園、保育園用の家具。【選択図】図２
0003120850.tif 000002
【実用新案登録請求の範囲】
【請求項１】
幼稚園児や保育園児が幼稚園や保育園等で使用する机や椅子などの家具において、
前記家具の一部に家具の表面に開口する貫通孔又は凹部を設け、
前記貫通孔又は凹部に、家具の表面から視認し得るように、写真やキャラクターなどからなる園児の着席の目印を内装した目印内装キャップを嵌め込んで設置するようにした、
ことを特徴とする幼稚園、保育園用の家具。
【請求項２】
前記家具は机であり、前記貫通孔又は凹部は机上面に開口するように設け、前記目印内装キャップは前記貫通孔又は凹部を塞ぐキャップであることを特徴とする請求項１記載の幼稚園、保育園用の家具。
【請求項３】
前記目印内装キャップは、その上面が机上面と略々面一であることを特徴とする請求項２に記載の幼稚園、保育園用の家具。
【請求項４】
前記目印内装キャップを嵌め込む貫通孔又は凹部は、少なくとも机の四隅に設けたことを特徴とする請求項２記載の幼稚園、保育園用の家具。
【請求項５】
前記机に設けた貫通孔の上面側に、その表面が臨むように前記目印内装キャップを嵌合し、該貫通孔の下面を底栓部材で塞ぎ、該底栓部材と該目印内装キャップの裏面側とを係合一体化したことを特徴とする請求項２〜請求項４何れか１項に記載の幼稚園、保育園用の家具。
【請求項６】
前記家具は椅子であり、椅子の背板部に前記貫通孔又は凹部を、背板部前面又は後面に開口するように設け、前記目印内装キャップは該貫通孔又は凹部を塞ぐキャップであり、前記目印内装キャップ内の写真などを背板部の前面又は後面から視認し得るようにしたことを特徴とする請求項１記載の幼稚園、保育園用の家具。
【請求項７】
前記目印内装キャップは、前記貫通孔又は凹部の表面に臨む透明な表面部と、該表面部を係合一体化する基部との２部材からなり、この２部材間に写真などの目印を保持し、該目印は取り替え自在であることを特徴とする請求項１〜請求項６何れか１項に記載の幼稚園、保育園用の家具。
【請求項８】
幼稚園児や保育園児が幼稚園や保育園等で使用する机において、
前記机は不透明な基板と、該基板上に設置され、少なくとも一部を透明とした上面板とで形成し、
前記基板の下面には、上面板の透明部分に臨み、下面にのみ開口し、上方に潜る凹部を形成し、
前記凹部を塞ぐように、机上面の透明な部分の上から視認可能に写真やキャラクターなどからなる目印を内装した目印内装キャップを圧入やねじ込みにより嵌め込んで設置するようにした、
ことを特徴とする幼稚園、保育園用の机。
【請求項９】
幼稚園児や保育園児が幼稚園や保育園等で使用する机において、
前記机は透明な板材で形成し、該板材の下面の一部に下面にのみ開口し、上方に潜る凹部を形成し、
前記凹部を塞ぐように、机上面の透明板上から視認可能に写真やキャラクターなどからなる目印を内装した目印内装キャップを圧入やねじ込みにより嵌め込んで設置するようにした、
ことを特徴とする幼稚園、保育園用の机。
【考案の詳細な説明】
【技術分野】
【０００１】
本考案は、幼稚園や保育園で用いるに好適する机や椅子のような家具に関するものである。
【背景技術】
【０００２】
幼稚園や保育園の現場において、園児、特に低年齢児や新学期早々の園児は、園児が保育室等の環境に慣れないせいもあり、落ち着きが無く、幼稚園教諭や保育士が園児をテーブルに誘導し、座らせることに手間取る光景が良く見受けられる。
そこで、幼稚園や保育園において、テーブルの自分の席に座らせるため、園児をテーブルの所定の位置に誘導するために、テーブルに着席用の目印を付けることが望ましい。
【０００３】
実際の現場では、園児を自分の席にスムーズに座らせるように、園児自身の写真や、園児が好きなキャラクターを表示したシール等をテーブルの所定部位に貼り付け、そこに園児を誘導する、という工夫が見られる。
【０００４】
ところで、幼稚園や保育園では、席替えが頻繁に行われるため、テーブルに貼り付けた上記したシールをその都度貼り替える必要があり、テープやシールなどのはがした痕がテーブル上に残り、見栄えが良くない。
又、そのテーブルで食事をしたり、絵や工作などの作業も行われるので、写真やシールを貼り付けただけの状態では、食べ物やクレヨンなどの汚れが付着し、衛生的でない。
【０００５】
従来、天板付きの家具（例えば、特許文献１参照。）や二重板テーブル（例えば、特許文献２参照。）が知られている。
【特許文献１】特開２００１−２９９４６１公報
【特許文献１】実用新案登録第３０３３３３４号公報
【０００６】
特許文献１の発明は、パソコンデスクのディスプレイＤを載置する天板の一部に切欠部を設け、切欠部内にガラス板からなる透光板を配置し、透光板の下に着色シートを配置する構成で、透光板の上から着色シートを視認し得るようにしたものである。
特許文献２の考案は、透明テーブル板の下にテーブル板を重ね、上下のテーブル板の間に写真やパンフレットを介在させ、写真やパンフレットの散乱、紛失、汚れなどを防ぐようにしたものである。
【０００７】
特許文献１の発明では、園児をテーブルの所定の位置に誘導するための目印となる写真などを切欠部に嵌挿した透光板下面に配置するため、透光板下面に写真などを貼り付ける必要があり、席替えなどにおいて写真などの交換に際し、貼り付けた写真などを剥がしたりする必要があり、前記と同様にテープやシールなどの剥がした痕がテーブル上に残り、見栄えが良くない。
【０００８】
特許文献２の考案では、一枚板の透明テーブル板とこの下の同面積のテーブル板の間に写真などを挟み込むので、複数の園児が座るテーブルでは、複数の写真などを園児の着席部位に位置決めする必要があり、上の透明テーブル板を下のテーブル板から外し、上下のテーブル板の間に写真を挟入するので、位置決めが難しく、又席替えなどで写真を交換する際には、大面積の上下のテーブル板を分解する必要があり、作業が面倒且つ煩雑であり、更に上記と同様に交換した写真などの位置決めが難しい。
本考案は、以上の課題を解決するためになされたものである。
【考案の開示】
【考案が解決しようとする課題】
【０００９】
本考案は、幼稚園や保育園において、園児をテーブルの所定の位置に誘導するために、テーブルの所定部に着席指示、誘導用の写真やキャラクターなどの目印を、テープなどの貼り付けを必要とすることなく、テーブルなどに表示することを可能とし、園児がテーブルの自己の座席がどこであるかを、容易に、確実に分かるようにした机や椅子などの幼稚園、保育園用の家具を提供することを課題とし、又写真などの目印は、カプセル状のキャップ内に収納し、内装することで、水や食べ物をこぼしたり、クレヨンなどで落書きしても表面部を拭くだけで良く、写真などの破損による貼り替えの必要を無くし、衛生的であると共に内装する写真などの目印の交換を容易に可能とした幼稚園、保育園用の家具を提供することを課題とする。
【課題を解決するための手段】
【００１０】
請求項１に係る考案は、幼稚園児や保育園児が幼稚園や保育園等で使用する机や椅子等の家具において、家具の一部に家具の表面に開口する貫通孔又は凹部を設け、貫通孔又は凹部に、家具の表面から視認し得るように、写真やキャラクターなどからなる園児の着席の目印を内装した目印内装キャップを嵌め込んで設置するようにしたことを特徴とする。
【００１１】
請求項２に係る考案は、請求項１において、前記家具は机であり、前記貫通孔又は凹部は机上面に開口するように設け、前記目印内装キャップは前記貫通孔又は凹部を塞ぐキャップであることを特徴とする。
【００１２】
請求項３に係る考案は、請求項２において、前記目印内装キャップは、その上面が机上面と略々面一であることを特徴とする。
【００１３】
請求項４は、請求項２において、前記目印内装キャップを嵌め込む貫通孔又は凹部は、少なくとも机の四隅に設けたことを特徴とする。
【００１４】
請求項５に係る考案は、請求項２〜請求項４何れか１項において、前記机に設けた貫通孔の上面側に、その表面が臨むように前記目印内装キャップを嵌合し、該貫通孔の下面を底栓部材で塞ぎ、該底栓部材と該目印内装キャップの裏面側とを係合一体化したことを特徴とする。
【００１５】
請求項６に係る考案は、請求項１において、前記家具は椅子であり、椅子の背板部に前記貫通孔又は凹部を、背板部前面又は後面に開口するように設け、前記目印内装キャップは該貫通孔又は凹部を塞ぐキャップであり、前記目印内装キャップ内の写真などを背板部の前面又は後面から視認し得るようにしたことを特徴とする。
【００１６】
請求項７に係る考案は、請求項１〜請求項６何れか１項において、前記目印内装キャップは、前記貫通孔又は凹部の表面に臨む透明な表面部と、該表面部を係合一体化する基部との２部材からなり、この２部材間に写真などの目印を保持し、該目印は取り替え自在であることを特徴とする。
【００１７】
請求項８に係る考案は、幼稚園児や保育園児が幼稚園や保育園等で使用する机において、前記机は不透明な基板と、該基板上に設置され、少なくとも一部を透明とした上面板とで形成し、前記基板の下面には、上面板の透明な部分に臨み、下面にのみ開口し、上方に潜る凹部を形成し、前記凹部を塞ぐように、机上面の透明な部分の上から視認可能に写真やキャラクターなどからなる目印を内装した目印内装キャップを圧入やねじ込みにより嵌め込んで設置するようにしたことを特徴とする。
【００１８】
請求項９に係る考案は、幼稚園児や保育園児が幼稚園や保育園等で使用する机において、前記机は透明な板材で形成し、該板材の下面の一部に下面にのみ開口し、上方に潜る凹部を形成し、前記凹部を塞ぐように、机上面の透明板上から視認可能に写真やキャラクターなどからなる目印を内装した目印内装キャップを圧入やねじ込みにより嵌め込んで設置するようにしたことを特徴とする。
【考案の効果】
【００１９】
請求項１に係る考案では、幼稚園児や保育園児が幼稚園や保育園等で使用する机や椅子等の家具の一部に、家具の表面に開口する貫通孔又は凹部を設け、貫通孔又は凹部に、家具の表面から視認し得るように、写真やキャラクターなどからなる園児の着席の目印を内装した目印内装キャップを嵌め込んで設置するようにしたので、写真などを貼り付けることなく、机などに表示することができ、複数の園児が着席する机などの上面から、写真などを園児が視認し、園児に自分の座席位置を理解させて円滑に、容易に着席させることができる。
又写真などはカプセル状の目印内装キャップに内装されているので、園児が机を使用する際、水や食べ物をこぼしたり、クレヨンなどで落書きして汚れても、キャップ表面を拭くだけで良く、目印表面の汚れを防止し、汚れた場合にも容易に拭掃して園児着席用の目印をきれいに保つことができ、又写真などは目印内装キャップに収納、内装されているので、写真などを破損することがなく、写真などを貼り替えたりする事態がなく、衛生的である。
【００２０】
請求項２に係る考案では、貫通孔又は凹部を机上面に開口するように設け、目印内装キャップで貫通孔又は凹部を塞ぐようにしたので、請求項１の効果に加えるに、机上面に写真などを内装したキャップが露出し、写真などを園児が容易に視認することが出来る。
【００２１】
請求項３に係る考案では、目印内装キャップの上面が机上面と略々面一なので、請求項２の効果に加えるに、写真などを内装したキャップ上面が机上面から突出せず、上面と写真内装キャップの上面とが一致するので、園児が目印内装キャップを机上面から抜き出したりすることができず、或いは、机上面の内側にキャップ上面が潜ったりしないので、引っ掛かりができない。
【００２２】
請求項４に係る考案では、目印内装キャップを嵌め込む貫通孔又は凹部は、少なくとも机の四隅に設けたので、請求項２の効果に加えるに、少なくとも４名の園児が座る机の各園児の指定場所を明確化することができ、机の四隅と長辺の中間部に貫通孔又は凹部を設けることで、６名の園児の座る場所を明確化することができる。
【００２３】
請求項５に係る考案では、机に設けた貫通孔の上面側に表面が臨むように目印内装キャップを嵌合し、貫通孔の下面を底栓部材で塞ぎ、底栓部材と目印内装キャップの裏面側とを係合一体化したので、請求項１又は請求項２〜請求項４何れかの効果に加えるに、貫通孔の底の閉蓋と内装キャップの保持とを同時に行うことができる。
【００２４】
請求項６に係る考案では、椅子の背板部に貫通孔又は凹部を、背板部前面又は後面に開口するように設け、目印内装キャップは貫通孔又は凹部を塞ぐキャップであり、目印内装キャップ内の写真などを背板部の前面又は後面から視認し得るようにしたので、請求項１の効果に加えるに、当該園児が使用する椅子を、写真などの目印を視認することで容易に判別することができ、又目印内装キャップは椅子の背板部に設けたので、園児が視認し易く、判別し易く、更に目印内装キャップを椅子の背板部の後面に設けることで、椅子に座った状態でも目印を確認することができる。
【００２５】
請求項７に係る考案では、目印内装キャップを貫通孔又は凹部の表面に臨む透明な表面部と、表面部を係合一体化する基部との２部材で構成し、２部材間に写真などの目印を取り替え自在に保持したので、キャップをそのまま使用して園児の写真などを交換することができ、又園児の写真に代えてキャラクターなどに変更することができ、一つの目印内装キャップを、写真やキャラクターなどを変更することで継続的に使用することができ、汎用性にも優れる。
【００２６】
請求項８に係る考案では、机を不透明な基板と、基板上に設置され、少なくとも一部を透明とした上面板とで形成し、基板の下面には、上面板の透明な部分に臨み、下面にのみ開口し、上方に潜る凹部を形成し、凹部を塞ぐように、机上面の透明な部分の上から視認可能に写真やキャラクターなどからなる目印を内装した目印内装キャップを圧入やねじ込みにより嵌め込んで設置するようにしたので、写真などを机に貼り付けることなく、机に表示することができ、複数の園児が着席する机などの上面から、写真などを園児が視認し、園児に自分の座席位置を理解させて円滑に、容易に着席させることができる。
又写真などは、机の透明な上面板の下にカプセル状の目印内装キャップに内装されているので、園児が机を使用する際、水や食べ物をこぼしたり、クレヨンなどで落書きして汚れても、キャップ表面を拭くだけで良く、目印表面の汚れを防止し、汚れた場合にも容易に拭掃して園児着席用の目印をきれいに保つことができ、又写真などはカプセル状の目印内装キャップに収納、内装されているので、写真などを破損することがなく、写真などを貼り替えたりする事態がなく、衛生的である。
【００２７】
請求項９に係る考案では、机を透明な板材で形成し、その下面の一部に下面にのみ開口し、上方に潜る凹部を形成し、凹部を塞ぐように、机上面の透明板上から視認可能に写真やキャラクターなどからなる目印を内装した目印内装キャップを圧入やねじ込みにより嵌め込んで設置するようにしたので、写真などを机に貼り付けることなく、机に表示することができ、複数の園児が着席する机などの上面から、写真などを園児が視認し、園児に自分の座席位置を理解させて円滑に、容易に着席させることができる。
又写真などは、机の透明な上面板の下にカプセル状の目印内装キャップに内装されているので、園児が机を使用する際、水や食べ物をこぼしたり、クレヨンなどで落書きして汚れても、キャップ表面を拭くだけで良く、目印表面の汚れを防止し、汚れた場合にも容易に拭掃して園児着席用の目印をきれいに保つことができ、又写真などはカプセル状のキャップに収納、内装されているので、写真などを破損することがなく、写真などを貼り替えたりする事態がなく、衛生的である。
【考案を実施するための最良の形態】
【００２８】
本考案を実施するための最良の形態を添付図に基づいて以下に説明する。なお、図面は符号の向きに見るものとする。
図１は、本考案に係る幼稚園や保育園用の机及び椅子であり、図では４人用の机と、４個の椅子とを示している説明的斜視図である。
１は机で、実施の形態では左右方向が長く（長辺２ａ，２ａ）、前後方向が短い（短辺２ｂ，２ｂ）平面視矩形の天板２を有する。
【００２９】
天板２の四隅のコーナー部４・・・（・・・は複数を表す。以下同じ）には脚３・・・が垂下、突設されており、四隅のコーナー部４・・・には、園児の衝突時の衝撃緩和用のコーナークッション５・・・が被着されており、コーナークッション５は、例えば厚手のゴムシートなどで形成する。
又各コーナー部４・・・のコーナークッション５・・・間の長辺２ａ，２ａ及び短辺２ｂ，２ｂの縁部には、４個のエッジクッション６・・・が被着されている。
実施の形態では、長辺２ａ，２ａに左右に各２個の椅子１０・・・を配置し、椅子１０・・・の夫々に想像線で示した園児が座り、授業や食事などを行う。
【００３０】
図２は、本考案に係る第１実施例の机単体の斜視図であり、図３は図２の３−３線拡大断面図である。
机１の天板２の四隅のコーナー部４・・・には、コーナークッション５の上面（机の天板上面）に露出し、上面と面一、或いは略々面一となるように目印内装キャップ２０が臨んでいる。
天板２の各コーナー部４・・・の夫々には、円孔からなる所定径の貫通孔７を天板２の上下を貫通するように設け、該貫通孔７は天板２の上下に開口する。コーナークッション５の上片５ａ、下片５ａの貫通孔７にかかる部分（臨む部分）には、貫通孔７よりも大径の円孔部８，８を形成し、コーナー部４の貫通孔７の上下の周辺部には、コーナークッション５の上片５ａ、下片５ａより一段潜った凹段部４ａ，４ａが形成されることとなる。
各貫通孔７に写真やキャラクターなどを内装したカプセル状の目印内装キャップ２０・・・を嵌め込んで装着する。
【００３１】
目印内装キャップ２０は図４及び図５に示す通りで、図４は、本考案に係る組み付けた目印内装キャップと底栓部材の分解断面図、図５は、本考案に係る目印内装キャップ及び底栓部材の分解斜視図である。これらの図面を参照して目印内装キャップ２０の一実施例を詳細に説明する。
目印内装キャップ２０は、透明な蓋部２１と、円形で凹皿状の本体２２とからなり、蓋部２１は透明なアクリル樹脂などで形成されている。蓋部２１は、大径で円盤状の上部２１ａと、上部２１ａの下面から垂下された小径のキャップ部を構成する円形の下部２１ｂとからなる。  円形の下部２１ｂの上に上部２１ａがフランジ状に外周に突出し、上部２１ａの外径は、コーナークッション５の上片５ａに形成した円孔部８と緊密に嵌合する径とし、且つその厚さは上片５ａと同じか、これより若干小さい程度の略々同厚とする。
【００３２】
本体２２は、中央部が環状リブ２２ａで囲まれ、環状リブ２２ａの外径は、蓋部２１の円盤状の上部２１ａよりも小径である。本体２２は、蓋部２１の下部２１ｂと嵌合する円形の凹部２２ｂを備え、凹部２２ｂの深さは、蓋部２１の下部２１ｂの高さよりも若干深く又は略々一致し、内径は蓋部２１の円形下部２１ｂの外径と略々一致し、円形下部２１ｂと緊密に嵌合する径とし、内底部２２ｃは平坦である。又本体２２の外径は、前記した貫通孔７と緊密に嵌合する径とする。
本体２２の底部２２ｄは前記貫通孔７の深さの略１／２程度であり、外周部には実施例では１８０°離間して係止凹部２３，２３を備える。
【００３３】
２４は底栓部材であり、底栓部材２４は円盤状で、その外径は、コーナークッション５の下片５ａに形成した円孔部８と緊密に嵌合する径とし、且つその厚さは下片５ａと同じか、これより若干小さい程度の略々同厚とする。底栓部材２４の上面の左右には、１８０°離間して前記係止凹部２３，２３と係合する係止爪２４ａ，２４ａを一体に起設して備える。
２５は、園児の写真などからなる目印カードで、園児の写真とした場合には、顔を中心として園児が容易に、確実に、自己を認識し得る大きさとし、円盤状に形成し、外径は本体２２の凹部２２ｂに嵌合し得る径とする。
【００３４】
以上においては、目印カード２５を本体２２の円形凹部２２ｂ内に目印を上にして、即ち、実施例では写真を上にして挿入し、この上から蓋部２１を被せて嵌合する。即ち、蓋部２１の円形の下部２１ｂを本体２２の円形の凹部２２ｂ内に上から押し込んで嵌合する。
以上により、目印内装キャップ２０を形成し、目印カード２５（写真）は蓋部２１と本体２２間で保持され、この組立状態を断面図として図４で示した。目印内装キャップ２０は、蓋部２１が透明であることから、上面から視認することができる。
【００３５】
目印内装キャップ２０を、机１の四隅のコーナー部４に設けた貫通孔７の上から図４の矢印（１）のように挿入する。図６は、図４の状態を斜視図として示した。
挿入状態を図３で示し、本体２２は貫通孔７の内径と緊密に嵌合し、蓋部２１の上部２１ａの周辺部に突出したフランジ状の周辺部は、コーナークッション５の上片５ａに形成した円孔部８と緊密に嵌合し、下面は貫通孔７周辺部の凹段部４ａで支持される。蓋部２１の上面は、コーナークッション５の上片５ａの上面と一致するか、これよりも若干潜るように設定し、上部２１ａがコーナークッション５を含む机上面に突出しないようにすることが好ましい。
【００３６】
爾後、矢印（２）に示すように貫通孔７の下方から底栓部材２４を挿入し、底栓部材２４はコーナークッション５の下片５ａに形成した円孔部８と緊密に嵌合し、下面に突出しないようにし、係止爪２４ａ，２４ａを目印内装キャップ２０の本体２２の外周に設けた係止凹部２３，２３に係合する。これにより、貫通孔７の下面は底栓部材２４で塞がれ、且つ底栓部材２４は目印内装キャップ２０の本体２２を係止爪２４ａ，２４ａで引っ掛けて下方に引き込んだ状態で係止、保持する。この状態を図３で示した。
以上において、目印内装キャップ２０の蓋部２１は透明とし、少なくとも目印カード２５（写真など）の部分は透明とする。蓋部２１をレンズで構成しても良い。
【００３７】
以上においては、実施の形態では、園児が使用する机１の四隅に、座席指示用の目印が机１の上面から視認し得るように露出し、園児は自己の写真を視認し、確認して当該机１の自己の写真に近接する席に着席することができる。
そして、園児の誘導用の写真などの目印カード２５は、上部が透明なカプセル状の目印内装キャップ２０内に収納、内装されており、机１の上面に裸で露出することがなく、園児が悪戯で写真を剥がしたりすることができず、又園児が机１を使用する際に、水や食べ物をこぼしたり、クレヨンなどで落書きして汚れても、目印内装キャップ２０の表面を拭くだけで良く、目印表面の汚れを防止し、汚れた場合にも容易に拭掃して園児着席用の目印をきれいに保つことができる。更に、写真などはカプセル状の目印内装キャップ２０内に収納、内装されているので、写真などを破損することがなく、写真などを貼り替えたりする事態がなく、衛生的である。
又写真など目印カード２５は、カプセル状の目印内装キャップ２０に収納されているので、写真を交換したり、写真から園児の好みのキャラクターを表示したカードなどに交換することもできる。
【００３８】
図７は、本考案に係る机の第２実施例を示す要部の縦断側面図である。
２は机の天板、４はコーナー部、５はコーナークッションである。コーナー部４に円形の凹部１０７を設け、該凹部１０７の底１０７ａ上に凹部１０７に嵌挿し得る円盤状の写真などの目印カード１２５を挿入し、この上から透明な栓状の蓋部材１２１を圧入し、目印内装キャップ１２０を構成する。
以上においても、凹部１０７内に収納された写真などの目印カード１２５は、透明な蓋部材１２１を通して上から視認することができ、写真を視認することで、上記と同様に、園児の机における着席場所を視認し、確認させ、誘導させることができる。
【００３９】
図８は、本考案に係る机の第３実施例を示す要部の縦断側面図であり、図９は、本考案に係る目印内装キャップの他の実施例を示す斜視図である。
２は机の天板、４はコーナー部、５はコーナークッションである。本実施例では、机の天板２（基板）上にガラスやアクリル樹脂などからなる透明な上面板２０２を載せ、机を構成する。
基板２のコーナー部４には貫通するネジ孔２０７を設け、ネジ孔２０７は上面を上面板２０２で塞がれ、実質的に下方に開口した内周に雌ネジ部２０７ａを有する下向き凹部を構成する。
【００４０】
２２０は目印内装キャップで、内部に目印カード２２５を収納する凹部２２２ｂを形成するリング状リブ２２２ａの外周に雄ネジ部２２２ｃを有する本体２２２と、凹部２２２ｂを塞ぐ栓部材状の透明な蓋部材２２１とからなる。本体２２２の下部には大径の円形フランジ部２２２ｄを備える。
目印内装キャップ２２０は、本体２２２外周の雄ネジ部２２２ｃを介して下向きに開口する凹部を形成するネジ孔２０７の下方から螺合し、円形フランジ部２２２ｄの部分が基板２の下面に当接して着脱自在に螺締する。
目印内装キャップ２２０は、透明な蓋部材２２１が透明板からなる上面板２０２のコーナー部に臨み、机の上面から目印カード２２５が透明な蓋部材２２１を通して視認することができ、透明な上面板２０２、透明な蓋部材２２１を通して上から写真を視認することで、上記と同様に、園児の机における着席場所を視認し、確認させ、誘導させることができる。
【００４１】
図１０は、本考案に係る机の第４実施例を示す要部の縦断側面図である。
本実施例では、机の天板２全体を、ガラスや透明なアクリル樹脂などの透明板材とした。４はコーナー部、５はコーナークッションであり、コーナー部４に下方に開口し、上方に潜る凹部３０７を形成し、内周に雌ネジ部３０７ａを形成する。２２０は、図９と同構造の目印内装キャップ２２０を用い、凹部３０７の下方から螺合し、着脱自在に螺締する。
以上においては、目印内装キャップ２２０は、透明な蓋部材２２１が透明板からなる机の天板２のコーナー部に臨み、机の上面から目印カード２２５が透明な蓋部材２２１を通して視認することができ、透明な天板２、透明な蓋部材２２１を通して上から写真を視認することで、上記と同様に、園児の机における着席場所を視認し、確認させ、誘導させることができる。
【００４２】
図１１は、本考案に係る変更実施例であり、机１の長辺が図１の実施例に比し、長く、大きい机で、実施例では６人がけの机である。
机１の天板２の四隅のコーナー部４・・・のコーナークッション５・・・を通して、上面から視認し得るように目印内装キャップ２０・・・を４カ所設置し、これとは別に、長辺側のエッジクッション１０６，１０６の長さ方向中央部にランド部１０６ａ，１０６ａを設け、この部分の構造を図３〜図６と同構造とし、目印内装キャップ２０，２０をこの部分に装着する。
これにより、コーナー部４・・・を含んで目印内装キャップ２０・・・は６カ所となり、６人の園児を机の所定に位置に誘導することができる。
【００４３】
図１２は、本考案に係る椅子の斜視図、図１３は、図１２の１３−１３線の拡大断面図、図１４は、図１３の部分の分解断面図、図１５は本考案に係る椅子要部の斜視図である。
これらの図面に従って、椅子に本考案を適用した実施の形態を説明する。
椅子１０は、座板１１、これの四隅から垂下された４本の脚１２・・・および背板１３からなり、実施例では、後側の左右の脚１２ａ，１２ａを上方に延長し、延長部１２ｂ，１２ｂの上部間に背板１３を架設した構造で、背板１３の下端部と座板１１との間に空間が形成されている。
【００４４】
椅子１０の背板１３の左右方向中間部には、軸線を横向きとした貫通孔１４を設ける。貫通孔１４に、目印内装キャップ３０を嵌合する。
目印内装キャップ３０は図１３で取付状態の縦断面図及び図１４の分解断面図で明らかな通りで、円形で凹皿状の本体３１と、断面凸状の円形の底蓋部材３２とからなる。本体３１はアクリル樹脂などの透明部材で形成され、外径は背板１３の貫通孔１４と緊密に嵌合する径とする。底蓋部材３２は、貫通孔１４よりも大径な円盤状フランジ部３２ｂと、本体３１の環状凹部３１ａと嵌合する凸部３２ａを備え、本体３１の凹部３１ａに写真などの目印カード３３を矢印（３）のように収納する。爾後、凹部３１ａに底蓋部材３２の凸部３２ａを矢印（４）のように嵌合し、爾後、本体３１を介して目印内装キャップ３０を、矢印（５）のように貫通孔１４に通して嵌合する。
【００４５】
図１５は、矢印（５）のように、背板１３の貫通孔１４に目印内装キャップ３０を挿入する状態を示し、背板１３の裏側から、目印内装キャップ３０を圧入、或いは軽圧入する。
これにより、目印内装キャップ３０は背板１３に取り付けられ、目印内装キャップ３０は、底蓋部材３２のフランジ部３２ｂが背板１３の貫通孔１４の後面周辺部に当接し、正規位置に取付、保持されることとなる。
取付状態を図１２及び図１３で示し、背板前面に円形の透明な目印内装キャップ３０の透明な写真を視認し得る面が臨み、園児はこの写真を視認することで、当該椅子が自己のものであることを確認することができる。
【００４６】
このように椅子１０の背板１３に目印内装キャップ３０を着脱自在に装着することで、当該椅子１０を使用する園児が容易に確認し得るようにし、前記した机１の目印内装キャップ２０，１２０，２２０と併せて机１の着座位置に園児を誘導することが容易に行え、又椅子１０の確認も容易、且つ確実に行わせることができる。
ところで、目印内装キャップ３０の写真などを視認し得る面を背板１３の前面としたが、後面側から視認し得るようにしても良く、又実施例では背板１３に貫通孔１４を設けるとしたが、これに代えて凹部を形成し、これに目印内装キャップ３０を嵌合しても良い。又実施例では、目印内装キャップ３０を貫通孔や凹部に圧入などする、と説明したが、貫通孔或いは凹部を雌ネジ状とし、目印内装キャップ外周に雄ネジを形成して螺合しても良いことは前記机１で述べた実施例と同様である。
【００４７】
以上実施に形態では、目印内装キャップに写真を収納すると説明したが、これに代えて園児が好む動物や花、アニメショーンの主人公、乗り物などのキャラクターを目印カードとして収納しても良い。
【００４８】
尚、本考案において図示した実施例では、机、椅子に実施した例を説明したが、使用する園児を表示する必要がある家具、例えば、園児個々人用の本箱や教材収容ケース、ロッカー、靴箱などの表面に本考案を適用することができ、適用は個々の若干の変更を加えることで容易に行えることが理解できるであろう。
【産業上の利用可能性】
【００４９】
本考案にかかる家具は、保育園や幼稚園で使用する複数人がけの机や椅子に好適である。
【図面の簡単な説明】
【００５０】
【図１】本考案に係る幼稚園や保育園用の机及び椅子であり、図では４人用の机と、４個の椅子とを示している説明的斜視図である。
【図２】本考案に係る第１実施例を示す机単体の斜視図である。
【図３】図２の３−３線拡大断面図である。
【図４】本考案に係る組み付けた目印内装キャップと底栓部材の分解断面図である。
【図５】本考案に係る目印内装キャップ及び底栓部材の分解斜視図である。
【図６】本考案に係る目印内装キャップ及び底栓部材を机のコーナー部に装着する状態を示す分解斜視図である。
【図７】本考案に係る机の第２実施例を示す要部の縦断側面図である。
【図８】本考案に係る机の第３実施例を示す要部の縦断側面図である。
【図９】本考案に係る目印内装キャップの他の実施例を示す斜視図である。
【図１０】本考案に係る机の第４実施例を示す要部の縦断側面図である。
【図１１】本考案に係る机の変更実施例を示す斜視図である。
【図１２】本考案に係る椅子の斜視図である。
【図１３】図１２の１３−１３線の拡大断面図である。
【図１４】図１３の部分の分解断面図である。
【図１５】本考案に係る椅子要部の斜視図である。
【符号の説明】
【００５１】
１…机、２…天板，基板、４…コーナー部、７…貫通孔、１０…椅子、１３…背板、１４…貫通孔、２０，３０，１２０，２２０…目印内装キャップ、２５，３３…写真などの目印カード、２０２…透明な上面板、１０７、２０７，３０７…凹部。
【図１】
0003120850.tif 000003
【図２】
0003120850.tif 000004
【図３】
0003120850.tif 000005
【図４】
0003120850.tif 000006
【図５】
0003120850.tif 000007
【図６】
0003120850.tif 000008
【図７】
0003120850.tif 000009
【図８】
0003120850.tif 000010
【図９】
0003120850.tif 000011
【図１０】
0003120850.tif 000012
【図１１】
0003120850.tif 000013
【図１２】
0003120850.tif 000014
【図１３】
0003120850.tif 000015
【図１４】
0003120850.tif 000016
【図１５】
0003120850.tif 000017